(57)【要約】【課題】食器類による摩耗が多くコーティングが剥がれ易い部位のみを修理することができて作業の手間が小さく、修理コストも低減される食器洗浄用籠を提供することを目的とする。【解決手段】上方開口状の籠本体１と、籠本体１に開閉自在に設けられた蓋体２とを具備する。かつ、籠本体１内に付設され食器類７を起立状態で複数枚重ね合わせ状に支持する食器支持部材３と、蓋体２の内部に付設され施蓋時に食器類７を上方から一皿ずつ仕切り状に保持する上部仕切部材４と、を具備する。そして、籠本体１と蓋体２のコーティング処理は省略され、かつ、食器支持部材３及び上部仕切部材４がコーティング処理される。さらに、食器支持部材３は籠本体１に着脱自在に取着され、かつ、上部仕切部材４は蓋体２に着脱自在に取着される。【選択図】図１
2008142122.tif 000002
【特許請求の範囲】
【請求項１】
上方開口状の籠本体（１）と、上記籠本体（１）に開閉自在に設けられた蓋体（２）と、該籠本体（１）内に付設され食器類（７）を起立状態で複数枚重ね合わせ状に支持する食器支持部材（３）と、該蓋体（２）の内部に付設され施蓋時に上記食器類（７）を上方から一皿ずつ仕切り状に保持する上部仕切部材（４）と、を具備し、上記籠本体（１）と上記蓋体（２）のコーティング処理は省略され、かつ、上記食器支持部材（３）及び上記上部仕切部材（４）がコーティング処理され、
さらに、上記食器支持部材（３）は上記籠本体（１）に着脱自在に取着され、かつ、上記上部仕切部材（４）は上記蓋体（２）に着脱自在に取着されることを特徴とする食器洗浄用籠。
【請求項２】
上記食器支持部材（３）は、上記籠本体（１）内に着脱自在に付設される平行な一対の横杆（30)(30）と、該一対の横杆（30)(30）に連結状として両端が固着され各上記食器類（７）が差込まれるように該横杆（30）の長手方向（Ｌ30）に所定ピッチで配設された複数の食器支持線材（31）と、を有し、
各該食器支持線材（31）は、上記長手方向（Ｌ30）から見て略Ｍ型に形成されている請求項１記載の食器洗浄用籠。
【請求項３】
上記食器支持部材（３）の上記一対の横杆（30)(30）は、水平面（Ｈ）から所定角度（θ）をもって傾斜状に上記籠本体（１）に付設される請求項２記載の食器洗浄用籠。
【請求項４】
上記上部仕切部材（４）は、上記蓋体（２）に着脱自在に付設される平行な一対の横杆（40)(40）と、該一対の横杆（40)(40）に連結状として両端が固着され各上記食器類（７）の上部が差込まれるように該横杆（40）の長手方向（Ｌ40）に所定ピッチで配設された複数の仕切線材（41）とを有する請求項１，２又は３記載の食器洗浄用籠。
【請求項５】
上記籠本体（１）に着脱自在に取付けられる樹脂製のネームプレート体（５）を備えた請求項１，２，３又は４記載の食器洗浄用籠。
【請求項６】
上記食器支持部材（３）は、上記横杆（30）の両端部（32)(32）と上記籠本体（１）との螺着により着脱自在であり、かつ、上記上部仕切部材（４）は、上記横杆（40）の両端部（42)(42）と上記蓋体（２）との螺着により着脱自在である請求項２，３，４又は５記載の食器洗浄用籠。
【請求項７】
上記食器支持部材（３）を上記籠本体（１）から分別してリサイクルし、かつ、上記上部仕切部材（４）を上記蓋体（２）から分別してリサイクルする請求項１，２，３，４，５又は６記載の食器洗浄用籠。
【発明の詳細な説明】
【技術分野】
【０００１】
本発明は、食器洗浄用籠に関するものである。
【背景技術】
【０００２】
従来の食器洗浄用籠は、ステンレス製の線材から形成した籠本体の内部に、ステンレス線材から形成した食器受け部材を溶接にて固着し、全体に樹脂系のコーティングを施したものが知られている（例えば、特許文献１参照）。
【特許文献１】特開平１０−１４８５４号公報
【発明の開示】
【発明が解決しようとする課題】
【０００３】
そして、食器類が、籠全体のうち、食器受け部材に頻繁に抜き差しされて摩耗するため、食器受け部材のコーティングが剥がれ易い。しかし、従来の食器洗浄用籠であれば、食器受け部材のみのコーティングの修理が必要な場合であっても、修理の必要のない籠本体のコーティングも一旦取り去って、籠本体と食器受け部材の全体にコーティングを施す修理を行わなければならない。このように、コーティング修理の作業に手間が掛かり、コストも非常に大きくなり、リサイクルの処分に多大な費用が必要となる。
【０００４】
そこで、本発明は、食器類による摩耗が多くコーティングが剥がれ易い部位のみを修理することができて作業の手間が小さく、修理コストも低減される食器洗浄用籠を提供することを目的とする。
【課題を解決するための手段】
【０００５】
上記目的を達成するために、本発明に係る食器洗浄用籠は、上方開口状の籠本体と、上記籠本体に開閉自在に設けられた蓋体と、該籠本体内に付設され食器類を起立状態で複数枚重ね合わせ状に支持する食器支持部材と、該蓋体の内部に付設され施蓋時に上記食器類を上方から一皿ずつ仕切り状に保持する上部仕切部材と、を具備し、上記籠本体と上記蓋体のコーティング処理は省略され、かつ、上記食器支持部材及び上記上部仕切部材がコーティング処理され、さらに、上記食器支持部材は上記籠本体に着脱自在に取着され、かつ、上記上部仕切部材は上記蓋体に着脱自在に取着されるものである。
【０００６】
また、上記食器支持部材は、上記籠本体内に着脱自在に付設される平行な一対の横杆と、該一対の横杆に連結状として両端が固着され各上記食器類が差込まれるように該横杆の長手方向に所定ピッチで配設された複数の食器支持線材と、を有し、各該食器支持線材は、上記長手方向から見て略Ｍ型に形成されている。
また、上記食器支持部材の上記一対の横杆は、水平面から所定角度をもって傾斜状に上記籠本体に付設される。
【０００７】
また、上記上部仕切部材は、上記蓋体に着脱自在に付設される平行な一対の横杆と、該一対の横杆に連結状として両端が固着され各上記食器類の上部が差込まれるように該横杆の長手方向に所定ピッチで配設された複数の仕切線材とを有する。
【０００８】
また、上記籠本体に着脱自在に取付けられる樹脂製のネームプレート体を備えた。
また、上記食器支持部材は、上記横杆の両端部と上記籠本体との螺着により着脱自在であり、かつ、上記上部仕切部材は、上記横杆の両端部と上記蓋体との螺着により着脱自在である。
また、上記食器支持部材を上記籠本体から分別してリサイクルし、かつ、上記上部仕切部材を上記蓋体から分別してリサイクルするものである。
【発明の効果】
【０００９】
本発明は、次のような著大な効果を奏する。
本発明に係る食器洗浄用籠は、食器支持部材・上部仕切部材のコーティングが剥がれた場合には、籠本体・蓋体から外してコーティングの修理を行うことができる。
つまり、食器類との摩耗によりコーティングが剥がれ易い食器支持部材・上部仕切部材についてのみコーティングの修理を行うことができるため、籠本体・蓋体等を含んだ全体について修理を行わなくて済む。よって、修理の手間が少なく、修理コストも大幅に低減できる。また、材料別へのリサイクルの処理に手間が少なく再利用が容易にでき、環境問題にも貢献できる。
また、食器類を、食器支持部材・上部仕切部材で上下にて保持するので、搬送時や洗浄時に籠の上下左右の向きが変わっても、食器類を脱落させずに収納することができ、破損を防止できる。
【発明を実施するための最良の形態】
【００１０】
以下、実施の形態を示す図面に基づき、本発明を詳説する。
図１〜図３は本発明に係る食器洗浄用籠の実施の一形態を示し、この食器洗浄用籠は、上方開口状の籠本体１と、籠本体１に開閉自在に設けられた蓋体２を具備する。籠本体１と蓋体２は、ステンレス線材を組み合わせて形成され、平面視矩形状（長方形状）を有する。
【００１１】
先ず、籠本体１は、ステンレス線材を矩形状（長方形状）に折曲形成し上下方向に離間して配設される複数の横枠材11…と、ステンレス製の縦長帯板材を平面視くの字状に折曲形成し複数の横枠材11…の４隅を夫々上下方向に連結するコーナー柱板10…と、複数の横枠材11…に上下方向に連結状として固着される縦線材12…とを、有する。各部材は（アルゴン）溶接等で固着される。複数の横枠材11…は少なくとも、上縁を成す横枠材11Ａと、下縁を成す横枠材11と、上縁・下縁の中間に配設される横枠材11Ｂとを有する。図例では、計４つの横枠材11…を有する。籠本体１は左右方向に長く、食器類７…は、左右方向に複数枚重ね合わせ状に収納される。
なお、本発明においては、起立状態の食器類７の上面が向く側を右側とし、下面が向く側を左側とし、後述のロック部材９が設けられた側を前側とする。
【００１２】
次に、蓋体２は、ステンレス線材を矩形状（長方形状）に折曲形成し上縁・下縁を成す横枠材21Ａ，21Ｂと、ステンレス製の短帯板材を平面視くの字状に折曲形成し横枠材21Ａ，21Ｂの４隅を夫々上下方向に連結するコーナー柱板20…と、横枠材21Ａ，21Ｂに上下方向に連結状として固着される複数の縦線材22…とを、有する。各部材は（アルゴン）溶接等で固着される。各横枠材21は、籠本体１の横枠材11と同じ形状を有する。
【００１３】
また、図１〜図６において、本発明の食器洗浄用籠は、籠本体１内に付設され食器類７を起立状態で複数枚重ね合わせ状に支持する食器支持部材３と、蓋体２の内部に付設され施蓋時に食器類７を上方から一皿ずつ仕切り状に保持する上部仕切部材４と、を具備する。食器支持部材３は、籠本体１に着脱自在に取着され、上部仕切部材４は、蓋体２に着脱自在に取着される。
【００１４】
先ず、食器支持部材３は、籠本体１内に着脱自在に取着される平行な一対の左右方向横杆30，30と、一対の横杆30，30に連結状として両端が固着され各食器類７が差込まれるように横杆30の長手方向（左右方向）Ｌ30に所定ピッチ（ 1.2mm〜1.8mm ）で配設された複数の前後方向の食器支持線材31…と、を有する。
各食器支持線材31は、長手方向Ｌ30から見て略Ｍ型に形成されている。さらに具体的には、食器支持線材31は、略Ｍ型全体のうちの中間の略Ｖ型線部34が前後方向に大きく形成されると共に、略Ｖ型線部34の中央折曲部が、一対の横杆30，30よりも下方に突出して形成されている。
そして、小外鍔部を有する浅皿状の食器類７を収納する場合、食器類７の外鍔部が隣り合う左右の食器支持線材31，31間に差込まれると共に、この食器類７の弯曲側壁の裏面側が右側の食器支持線材31の略Ｖ型線部34に支持される（図１〜図４参照）。隣り合う食器類７…は、小さな間隔で重ね合わせて収納される。横杆30，食器支持線材31はステンレス線材から成る。
【００１５】
さらに、一対の横杆30，30のうちの前側の横杆30Ａは、その両端部32Ａ，32Ａ近傍が順に上方・長手方向Ｌ30に折曲げ形成され（後述の）残飯受け部材８の軌道を回避するための回避部33，33を有する。仮に回避部33が形成されていないと、残飯受け部材８が、揺動途中で端部32Ａ近傍に当たってしまう。
また、各横杆30の両端部32，32は、夫々左右方向に開口した雌ネジ35を有する。
そして、食器支持部材３は、ナイロンやポリプロピレン等の耐熱性を有する合成樹脂にてコーティング処理されている。なお、籠本体１と蓋体２のコーティング処理は省略されている。
【００１６】
また、食器支持部材３の一対の横杆30，30は、水平面Ｈから所定角度θをもって傾斜状に（右側へ上傾状に）籠本体１に付設される。所定角度θは、５°〜10°に設定されて、食器支持部材３に収納された食器類７は、その上面が僅かに上方を向くように保持される。
【００１７】
次に、上部仕切部材４は、蓋体２に着脱自在に取着される平行な一対の左右方向横杆40，40と、一対の横杆40，40に連結状として両端が固着され各食器類７の上部が差込まれるように横杆40の長手方向（左右方向）Ｌ40に所定ピッチで配設された複数の前後方向仕切線材41…とを有する。仕切線材41…は、食器支持部材３の食器支持線材31…と同じピッチで形成される。
また、各横杆40の両端部42，42は、夫々左右に開口した雌ネジ45が形成されている。
そして、上部仕切部材４は、ナイロンやポリプロピレン等の耐熱性を有する合成樹脂にてコーティング処理をされている。横杆40，仕切線材41はステンレス線材から成る。
【００１８】
図１〜図３において、籠本体１、蓋体２についてさらに説明する。
籠本体１は、食器支持部材３の横杆30，30を付設するための取付プレート15…が左右両側において前後２枚ずつ（計４枚）横枠材11…に固着されており、各プレート15は、各横杆30の雌ネジ35に螺着される雄ネジ28が挿通される小孔16を有する。また、籠本体１の左右の各側において、前後のプレート15，15のうち前側プレート14は、上述の横杆30Ａの回避部33に対応して、後側のプレート15の小孔16よりも高い位置に、小孔16を有する。
そして、雄ネジ28を各プレート15の小孔16に通し、横杆30の雌ネジ35に螺着することで、食器支持部材３は、籠本体１に取着されている（図８，図11参照）。
また、上縁を成す横枠材11Ａは、前側線材部の中央に、後述の残飯受け部材８に接続された鎖部材17が通される小リング部19が固着されている。
【００１９】
蓋体２は、上部仕切部材４の横杆40，40を付設するための一対の取付プレート25，25が左右両側において横枠材11Ａ，11Ｂに固着されており、各取付プレート25は、雄ネジ28が挿通される小孔26を有する。
そして、雄ネジ28をプレート25の小孔26に通し、横杆40の雌ネジ45に螺着することで、上部仕切部材４は、蓋体２に取着されている（図10参照）。
【００２０】
また、籠本体１の上縁を成す横枠材11Ａと、蓋体２の下縁を成す横枠材21Ｂの夫々の後側の線材部が、蓋体２を開閉自在とするリング状連結部材13…で繋がれている。また、籠本体１の横枠材11…は、その前側の線材部に、蓋体２の横枠材21にロック・解除自在なロック部材９が付設されている。ロックすることにより、蓋体２が不意に開くことがなく、食器類７は食器支持部材３・上部仕切部材４により挟持された状態となるため、籠の前後左右の向きが洗浄中や搬送中や消毒中等に変わっても、食器類７が脱落しない。
【００２１】
また、籠本体１は、中間横枠材11Ｂの左右の線材部に、ステンレス線材を弯曲状に形成した把手部材６，６が溶接等で固着されている。各把手部材６は、中央へ上向きに弯曲状に形成され、かつ、両端が横枠材11Ｂに固着されており、籠本体１から左右側方へは突出せず、破損が防がれかつコンパクトに納まる。また、各把手部材６は弯曲状に形成されているため、手にフィットして運搬し易い。
ここで、従来の籠は、例えば、線材を螺旋状に形成した把持部材をコの字状のアームに付設し、アームの両端を籠本体に揺動自在に取付けたものがあるが、洗浄時に、把持部材が外れて飛ぶことがあり、洗浄ノズル等が破損する虞れがあった。また、籠本体の外部側にぶら下がり全体の形状が大きくなった。これに対し、本発明の把手部材６は、コンパクトに納まると共に、外れて飛ぶ危険がなく安全である。
【００２２】
また、図１〜図３、図７，図８に示したように、本発明の籠は、籠本体１内に食器支持部材３の下方と前方の間を揺動自在に保持される残飯受け部材８を具備する。残飯受け部材８は、ステンレス板材を左右横長浅皿状に形成したものである。そして、受け部材８は、左右両側に揺動アーム18，18の下端が固着され、アーム18，18の上端が、籠本体１の中間横枠材11Ｂの左右の線材部に枢着されている。また、受け部材８は、前縁の中央に引っ張り用鎖部材17の一端（下端）が接続されている。鎖部材17の他端（上端）は、上述の籠本体１に付設された小リング部19に通されている。残飯受け部材８は、フリー状態では自重により、食器支持部材３の下方に存在して（図３の実線の状態）、食器類７…に付着した残飯を受ける。そして、洗浄工程に移される場合等に、鎖部材17を引っ張り上げて残飯受け部材８が食器支持部材３の前方へ揺動して傾斜状となり（図３の二点鎖線の状態）、残飯を洗い落とし易くなる。
【００２３】
また、図８，図９において、籠本体１には、プラスチック等の耐熱性を有する樹脂製のネームプレート体５が着脱自在に取り付けられる。ネームプレート体５は、平板状に形成されると共に、一対の縦辺部が平面視小半円弧状に形成され籠本体１の縦線材12，12を着脱自在として両側から挟む把持部37，37を有する。また、ネームプレート体５の上縁・下縁をアール状に形成することで、手の怪我を防止できる。また、ネームプレート体５は、学校名やクラス名等の情報を備えた認識（ＩＣ）チップ38が内蔵されるもよい。
従来の籠は、ネームプレートがアルミ板やステンレス板で形成されて、籠本体に線材にて巻付けて取付けられていたため、使用時や製造時にプレートの外縁部で手を怪我する危険があった。本発明の籠のネームプレート体５は、小学校の児童等が使用する場合であっても、手の怪我が防がれる。
【００２４】
そして、図１〜図４のように、食事後の食器類７…が、食器支持部材３の食器支持線材31…に差込まれて、起立状態で重ね合わせて支持させている。各食器類７の上部は、上部仕切部材４の隣り合う上部仕切線材41，41間に嵌まって仕切状に保持される。
【００２５】
そして、ノズルで洗浄水（湯）を噴射して行う洗浄工程や消毒工程が完了したら、ロック部材９を解除して蓋体２を開け、食器類７を取り出す。そして再び、食事後の食器類７…を籠本体１内に収納して蓋体２を閉めることで、食器類７…が、食器支持部材３及び上部仕切部材４に当接して保持される。このように、食器類７…と、食器支持部材３・上部仕切部材４との摩耗が繰り返されることにより、食器支持部材３と上部仕切部材４のコーティングが剥がれ落ちたら、雄ネジ28…による螺着を外し、夫々、籠本体１、蓋体２から外して（図８，図10参照）、コーティングの修理を行う。そして、修理後の食器支持部材３を籠本体１に、雄ネジ28…，雌ネジ35…，45…によって螺着し、かつ、修理後の上部仕切部材４を蓋体２に、雄ネジ28…，雌ネジ35…，45…によって螺着する。
このように、コーティングの修理を、食器支持部材３・上部仕切部材４についてのみ行えば済むので、合理的である。
また、搬送時や洗浄時等に外部との摩耗の多い籠本体１・蓋体２はコーティングが省略されており、籠本体１・蓋体２を含んだ全体の修理を行う必要がない。
【００２６】
また、従来の籠は、一対の支持杆が、籠本体の底の離間した位置から、相互に反対側へ上傾状に立設されているものがあり（図示省略）、食器類を起立状態に差込むのに熟練を要したが、本発明の食器支持部材３によれば、支持線材31が長手方向Ｌ30から見て略Ｍ型に形成されているので、小学校の児童等であっても、食器類７を容易に起立状態に支持させることができる。
【００２７】
また、図12は、図11の螺着構造の別の実施例であり、食器支持部材３の横杆30は、端部32に左右側方へ突出状の雄ネジ部29を有する。そして、プレート15の小孔16に籠本体１内から通された雄ネジ部29に、外側からナット部材27で螺着する。
また、図13，図14は、さらに別の実施例であり、図13は、図12における小孔16付のプレート15に替えて、夫々、小孔16付ブロック体24を横枠材11に固着したものであり、図14は、横枠材11の一部（線材）をプレス加工して平板状に形成しかつ小孔16を貫孔したものである。
なお、蓋体２と上部仕切部材４の横杆40との螺着構造も、図12〜図14において説明した構造と同様である。
【００２８】
なお、図２は、蓋体２の施蓋状態で、上部仕切部材４が水平面Ｈ状に付設されているが、設計変更して、上部仕切部材４を、食器支持部材３と同じ角度θをもって傾斜状に蓋体２に付設するも自由であり、食器支持部材３と上部仕切部材４の上下方向の間隔が左右方向全範囲において均一となり、全ての食器類７…を安定した状態で収納できる。
また、食器支持部材３を籠本体１から分別してリサイクルし、かつ、上部仕切部材４を蓋体２から分別してリサイクルするので、部品別にリサイクルする処理の手間が少なくて済み、再利用が容易となり、環境問題にも貢献できる。
【００２９】
以上のように、本発明に係る食器洗浄用籠は、上方開口状の籠本体１と、籠本体１に開閉自在に設けられた蓋体２と、籠本体１内に付設され食器類７を起立状態で複数枚重ね合わせ状に支持する食器支持部材３と、蓋体２の内部に付設され施蓋時に食器類７を上方から一皿ずつ仕切り状に保持する上部仕切部材４と、を具備し、籠本体１と蓋体２のコーティング処理は省略され、かつ、食器支持部材３及び上部仕切部材４がコーティング処理され、さらに、食器支持部材３は籠本体１に着脱自在に取着され、かつ、上部仕切部材４は蓋体２に着脱自在に取着されるので、食器支持部材３・上部仕切部材４のコーティングが剥がれた場合には、籠本体１・蓋体２から外してコーティング修理することができる。
つまり、食器類７との摩耗によりコーティングが剥がれ易い食器支持部材３・上部仕切部材４についてのみ修理を行うことができるため、籠本体１・蓋体２等を含んだ全体については修理を行わなくて済む。よって、修理の手間が少なく、修理コストも大幅に低減できる。
また、搬送時や洗浄時等に外部との摩耗の多い籠本体１・蓋体２はコーティングが省略されているので、手間が一層低減される。
また、食器類７を、食器支持部材３と上部仕切部材４とで上下にて保持するので、搬送時や洗浄時に籠の上下左右の向きが変わっても、食器類７を脱落させずに収納することができ、破損を防ぐことができるる。
【００３０】
また、食器支持部材３は、籠本体１内に着脱自在に付設される平行な一対の横杆30，30と、一対の横杆30，30に連結状として両端が固着され各食器類７が差込まれるように横杆30の長手方向Ｌ30に所定ピッチで配設された複数の食器支持線材31と、を有し、各食器支持線材31は、長手方向Ｌ30から見て略Ｍ型に形成されているので、食器類７を容易かつ確実に（熟練を要さずに）起立状態に支持させることができる。しかも、隣り合う食器類７，７の間隔を狭くして支持させることができ、コンパクトな大きさの籠でありながら、多くの食器類７…を収納できる。
【００３１】
また、食器支持部材３の一対の横杆30，30は、水平面Ｈから所定角度θをもって傾斜状に籠本体１に付設されるので、食器類７を起立状態から少し傾斜させて保持でき、安定した状態に収納することができる。
【００３２】
また、上部仕切部材４は、蓋体２に着脱自在に付設される平行な一対の横杆40，40と、一対の横杆40，40に連結状として両端が固着され各食器類７の上部が差込まれるように横杆40の長手方向Ｌ40に所定ピッチで配設された複数の仕切線材41…とを有するので、食器類７を、食器支持部材３に起立状に支持した状態で、安定して保持することができる。
【００３３】
また、籠本体１に着脱自在に取付けられる樹脂製のネームプレート体５を備えているので、運搬時等に手の怪我を防ぐことができる。また、ネームプレート体５は樹脂製なので、洗浄（消毒）用の湯に対しても耐久性を有し、長期間の使用に耐えることができる。
【００３４】
また、食器支持部材３は、横杆30の両端部32，32と籠本体１との螺着により着脱自在であり、かつ、上部仕切部材４は、横杆40の両端部42，42と蓋体２との螺着により着脱自在であるので、簡易な構成でありながら、食器支持部材３・上部仕切部材４の着脱作業を容易にすることができ、修理作業の手間を少なくすることができる。
また、食器支持部材３を籠本体１から分別してリサイクルし、かつ、上部仕切部材４を蓋体２から分別してリサイクルするので、部品別にリサイクルする処理の手間が少なくて済み、再利用が容易となり、環境問題にも貢献できる。
【図面の簡単な説明】
【００３５】
【図１】本発明に係る食器洗浄用籠の実施の一形態を示す斜視図である。
【図２】正面図である。
【図３】側面図である。
【図４】説明用要部斜視図である。
【図５】食器支持部材を示す正面図である。
【図６】拡大側面図である。
【図７】残飯受け部材を示す斜視図である。
【図８】籠本体と食器支持部材を示す説明用要部斜視図である。
【図９】図８のイ−イ断面図である。
【図１０】蓋体と上部仕切部材を示す説明用要部斜視図である。
【図１１】要部拡大斜視図である。
【図１２】他の実施例を示す要部拡大斜視図である。
【図１３】別の実施例を示す要部拡大斜視図である。
【図１４】さらに別の実施例を示す要部拡大斜視図である。
【符号の説明】
【００３６】
１  籠本体
２  蓋体
３  食器支持部材
４  上部仕切部材
５  ネームプレート体
７  食器類
30  横杆
31  食器支持線材
32  端部
40  横杆
41  上部仕切線材
42  端部
θ  所定角度
Ｈ  水平面
Ｌ30  長手方向
Ｌ40  長手方向
【図１】
2008142122.tif 000003
【図２】
2008142122.tif 000004
【図３】
2008142122.tif 000005
【図４】
2008142122.tif 000006
【図５】
2008142122.tif 000007
【図６】
2008142122.tif 000008
【図７】
2008142122.tif 000009
【図８】
2008142122.tif 000010
【図９】
2008142122.tif 000011
【図１０】
2008142122.tif 000012
【図１１】
2008142122.tif 000013
【図１２】
2008142122.tif 000014
【図１３】
2008142122.tif 000015
【図１４】
2008142122.tif 000016
【手続補正書】
【提出日】平成19年10月3日(2007.10.3)
【手続補正１】
【補正対象書類名】特許請求の範囲
【補正対象項目名】全文
【補正方法】変更
【補正の内容】
【特許請求の範囲】
【請求項１】
上方開口状の籠本体（１）と、上記籠本体（１）に開閉自在に設けられた蓋体（２）と、該籠本体（１）内に付設され食器類（７）を起立状態で複数枚重ね合わせ状に支持する食器支持部材（３）と、該蓋体（２）の内部に付設され施蓋時に上記食器類（７）を上方から一皿ずつ仕切り状に保持する上部仕切部材（４）と、を具備し、上記籠本体（１）と上記蓋体（２）のコーティング処理は省略され、かつ、上記食器支持部材（３）及び上記上部仕切部材（４）がコーティング処理され、
上記食器支持部材（３）は、上記籠本体（１）に両端部（32）（32）が着脱自在に取着される平行な一対の横杆（30)(30）と、該一対の横杆（30)(30）に連結状として両端が固着され各上記食器類（７）が差込まれるように該横杆（30）の長手方向（Ｌ30）に所定ピッチで配設された複数の食器支持線材（31）と、を有し、
各該食器支持線材（31）は、上記長手方向（Ｌ30）から見て略Ｍ型に形成され、
上記食器支持部材（３）の上記一対の横杆（30)(30）は、水平面（Ｈ）から所定角度（θ）をもって傾斜状に上記籠本体（１）に取着し、上記所定角度（θ）を５°〜10°に設定して、
かつ、上記上部仕切部材（４）は、上記蓋体（２）に両端部（42）（42）が着脱自在に取着される平行な一対の横杆（40)(40）と、該一対の横杆（40)(40）に連結状として両端が固着され各上記食器類（７）の上部が差込まれるように該横杆（40）の長手方向（Ｌ40）に上記食器支持線材（31）と同じピッチで配設された複数の仕切線材（41）とを有し、 さらに、上記籠本体（１）と上記蓋体（２）の間を連結するロック・解除自在なロック部材９を設けたことを特徴とする食器洗浄用籠。
【手続補正２】
【補正対象書類名】明細書
【補正対象項目名】全文
【補正方法】変更
【補正の内容】
【発明の詳細な説明】
【技術分野】
【０００１】
本発明は、食器洗浄用籠に関するものである。
【背景技術】
【０００２】
従来の食器洗浄用籠は、ステンレス製の線材から形成した籠本体の内部に、ステンレス線材から形成した食器受け部材を溶接にて固着し、全体に樹脂系のコーティングを施したものが知られている（例えば、特許文献１参照）。
【特許文献１】特開平１０−１４８５４号公報
【発明の開示】
【発明が解決しようとする課題】
【０００３】
そして、食器類が、籠全体のうち、食器受け部材に頻繁に抜き差しされて摩耗するため、食器受け部材のコーティングが剥がれ易い。しかし、従来の食器洗浄用籠であれば、食器受け部材のみのコーティングの修理が必要な場合であっても、修理の必要のない籠本体のコーティングも一旦取り去って、籠本体と食器受け部材の全体にコーティングを施す修理を行わなければならない。このように、コーティング修理の作業に手間が掛かり、コストも非常に大きくなり、リサイクルの処分に多大な費用が必要となる。
【０００４】
そこで、本発明は、食器類による摩耗が多くコーティングが剥がれ易い部位のみを修理することができて作業の手間が小さく、修理コストも低減される食器洗浄用籠を提供することを目的とする。
【課題を解決するための手段】
【０００５】
上記目的を達成するために、本発明に係る食器洗浄用籠は、上方開口状の籠本体と、上記籠本体に開閉自在に設けられた蓋体と、該籠本体内に付設され食器類を起立状態で複数枚重ね合わせ状に支持する食器支持部材と、該蓋体の内部に付設され施蓋時に上記食器類を上方から一皿ずつ仕切り状に保持する上部仕切部材と、を具備し、上記籠本体と上記蓋体のコーティング処理は省略され、かつ、上記食器支持部材及び上記上部仕切部材がコーティング処理され、上記食器支持部材は、上記籠本体に両端部が着脱自在に取着される平行な一対の横杆と、該一対の横杆に連結状として両端が固着され各上記食器類が差込まれるように該横杆の長手方向に所定ピッチで配設された複数の食器支持線材と、を有し、各該食器支持線材は、上記長手方向から見て略Ｍ型に形成され、上記食器支持部材の上記一対の横杆は、水平面から所定角度をもって傾斜状に上記籠本体に取着し、上記所定角度を５°〜10°に設定して、かつ、上記上部仕切部材は、上記蓋体に両端部が着脱自在に取着される平行な一対の横杆と、該一対の横杆に連結状として両端が固着され各上記食器類の上部が差込まれるように該横杆の長手方向に上記食器支持線材と同じピッチで配設された複数の仕切線材とを有し、さらに、上記籠本体と上記蓋体の間を連結するロック・解除自在なロック部材を設けたものである。
【発明の効果】
【０００６】
本発明は、次のような著大な効果を奏する。
本発明に係る食器洗浄用籠は、食器支持部材・上部仕切部材のコーティングが剥がれた場合には、籠本体・蓋体から外してコーティングの修理を行うことができる。
つまり、食器類との摩耗によりコーティングが剥がれ易い食器支持部材・上部仕切部材についてのみコーティングの修理を行うことができるため、籠本体・蓋体等を含んだ全体について修理を行わなくて済む。よって、修理の手間が少なく、修理コストも大幅に低減できる。また、材料別へのリサイクルの処理に手間が少なく再利用が容易にでき、環境問題にも貢献できる。
また、食器類を、食器支持部材・上部仕切部材で上下にて保持するので、搬送時や洗浄時に籠の上下左右の向きが変わっても、食器類を脱落させずに収納することができ、破損を防止できる。
【発明を実施するための最良の形態】
【０００７】
以下、実施の形態を示す図面に基づき、本発明を詳説する。
図１〜図３は本発明に係る食器洗浄用籠の実施の一形態を示し、この食器洗浄用籠は、上方開口状の籠本体１と、籠本体１に開閉自在に設けられた蓋体２を具備する。籠本体１と蓋体２は、ステンレス線材を組み合わせて形成され、平面視矩形状（長方形状）を有する。
【０００８】
先ず、籠本体１は、ステンレス線材を矩形状（長方形状）に折曲形成し上下方向に離間して配設される複数の横枠材11…と、ステンレス製の縦長帯板材を平面視くの字状に折曲形成し複数の横枠材11…の４隅を夫々上下方向に連結するコーナー柱板10…と、複数の横枠材11…に上下方向に連結状として固着される縦線材12…とを、有する。各部材は（アルゴン）溶接等で固着される。複数の横枠材11…は少なくとも、上縁を成す横枠材11Ａと、下縁を成す横枠材11と、上縁・下縁の中間に配設される横枠材11Ｂとを有する。図例では、計４つの横枠材11…を有する。籠本体１は左右方向に長く、食器類７…は、左右方向に複数枚重ね合わせ状に収納される。
なお、本発明においては、起立状態の食器類７の上面が向く側を右側とし、下面が向く側を左側とし、後述のロック部材９が設けられた側を前側とする。
【０００９】
次に、蓋体２は、ステンレス線材を矩形状（長方形状）に折曲形成し上縁・下縁を成す横枠材21Ａ，21Ｂと、ステンレス製の短帯板材を平面視くの字状に折曲形成し横枠材21Ａ，21Ｂの４隅を夫々上下方向に連結するコーナー柱板20…と、横枠材21Ａ，21Ｂに上下方向に連結状として固着される複数の縦線材22…とを、有する。各部材は（アルゴン）溶接等で固着される。各横枠材21は、籠本体１の横枠材11と同じ形状を有する。
【００１０】
また、図１〜図６において、本発明の食器洗浄用籠は、籠本体１内に付設され食器類７を起立状態で複数枚重ね合わせ状に支持する食器支持部材３と、蓋体２の内部に付設され施蓋時に食器類７を上方から一皿ずつ仕切り状に保持する上部仕切部材４と、を具備する。食器支持部材３は、籠本体１に着脱自在に取着され、上部仕切部材４は、蓋体２に着脱自在に取着される。
【００１１】
先ず、食器支持部材３は、籠本体１内に着脱自在に取着される平行な一対の左右方向横杆30，30と、一対の横杆30，30に連結状として両端が固着され各食器類７が差込まれるように横杆30の長手方向（左右方向）Ｌ30に所定ピッチ（ 1.2mm〜1.8mm ）で配設された複数の前後方向の食器支持線材31…と、を有する。
各食器支持線材31は、長手方向Ｌ30から見て略Ｍ型に形成されている。さらに具体的には、食器支持線材31は、略Ｍ型全体のうちの中間の略Ｖ型線部34が前後方向に大きく形成されると共に、略Ｖ型線部34の中央折曲部が、一対の横杆30，30よりも下方に突出して形成されている。
そして、小外鍔部を有する浅皿状の食器類７を収納する場合、食器類７の外鍔部が隣り合う左右の食器支持線材31，31間に差込まれると共に、この食器類７の弯曲側壁の裏面側が右側の食器支持線材31の略Ｖ型線部34に支持される（図１〜図４参照）。隣り合う食器類７…は、小さな間隔で重ね合わせて収納される。横杆30，食器支持線材31はステンレス線材から成る。
【００１２】
さらに、一対の横杆30，30のうちの前側の横杆30Ａは、その両端部32Ａ，32Ａ近傍が順に上方・長手方向Ｌ30に折曲げ形成され（後述の）残飯受け部材８の軌道を回避するための回避部33，33を有する。仮に回避部33が形成されていないと、残飯受け部材８が、揺動途中で端部32Ａ近傍に当たってしまう。
また、各横杆30の両端部32，32は、夫々左右方向に開口した雌ネジ35を有する。
そして、食器支持部材３は、ナイロンやポリプロピレン等の耐熱性を有する合成樹脂にてコーティング処理されている。なお、籠本体１と蓋体２のコーティング処理は省略されている。
【００１３】
また、食器支持部材３の一対の横杆30，30は、水平面Ｈから所定角度θをもって傾斜状に（右側へ上傾状に）籠本体１に付設される。所定角度θは、５°〜10°に設定されて、食器支持部材３に収納された食器類７は、その上面が僅かに上方を向くように保持される。
【００１４】
次に、上部仕切部材４は、蓋体２に着脱自在に取着される平行な一対の左右方向横杆40，40と、一対の横杆40，40に連結状として両端が固着され各食器類７の上部が差込まれるように横杆40の長手方向（左右方向）Ｌ40に所定ピッチで配設された複数の前後方向仕切線材41…とを有する。仕切線材41…は、食器支持部材３の食器支持線材31…と同じピッチで形成される。
また、各横杆40の両端部42，42は、夫々左右に開口した雌ネジ45が形成されている。
そして、上部仕切部材４は、ナイロンやポリプロピレン等の耐熱性を有する合成樹脂にてコーティング処理をされている。横杆40，仕切線材41はステンレス線材から成る。
【００１５】
図１〜図３において、籠本体１、蓋体２についてさらに説明する。
籠本体１は、食器支持部材３の横杆30，30を付設するための取付プレート15…が左右両側において前後２枚ずつ（計４枚）横枠材11…に固着されており、各プレート15は、各横杆30の雌ネジ35に螺着される雄ネジ28が挿通される小孔16を有する。また、籠本体１の左右の各側において、前後のプレート15，15のうち前側プレート14は、上述の横杆30Ａの回避部33に対応して、後側のプレート15の小孔16よりも高い位置に、小孔16を有する。
そして、雄ネジ28を各プレート15の小孔16に通し、横杆30の雌ネジ35に螺着することで、食器支持部材３は、籠本体１に取着されている（図８，図11参照）。
また、上縁を成す横枠材11Ａは、前側線材部の中央に、後述の残飯受け部材８に接続された鎖部材17が通される小リング部19が固着されている。
【００１６】
蓋体２は、上部仕切部材４の横杆40，40を付設するための一対の取付プレート25，25が左右両側において横枠材11Ａ，11Ｂに固着されており、各取付プレート25は、雄ネジ28が挿通される小孔26を有する。
そして、雄ネジ28をプレート25の小孔26に通し、横杆40の雌ネジ45に螺着することで、上部仕切部材４は、蓋体２に取着されている（図10参照）。
【００１７】
また、籠本体１の上縁を成す横枠材11Ａと、蓋体２の下縁を成す横枠材21Ｂの夫々の後側の線材部が、蓋体２を開閉自在とするリング状連結部材13…で繋がれている。また、籠本体１の横枠材11…は、その前側の線材部に、蓋体２の横枠材21にロック・解除自在なロック部材９が付設されている。ロックすることにより、蓋体２が不意に開くことがなく、食器類７は食器支持部材３・上部仕切部材４により挟持された状態となるため、籠の前後左右の向きが洗浄中や搬送中や消毒中等に変わっても、食器類７が脱落しない。
【００１８】
また、籠本体１は、中間横枠材11Ｂの左右の線材部に、ステンレス線材を弯曲状に形成した把手部材６，６が溶接等で固着されている。各把手部材６は、中央へ上向きに弯曲状に形成され、かつ、両端が横枠材11Ｂに固着されており、籠本体１から左右側方へは突出せず、破損が防がれかつコンパクトに納まる。また、各把手部材６は弯曲状に形成されているため、手にフィットして運搬し易い。
ここで、従来の籠は、例えば、線材を螺旋状に形成した把持部材をコの字状のアームに付設し、アームの両端を籠本体に揺動自在に取付けたものがあるが、洗浄時に、把持部材が外れて飛ぶことがあり、洗浄ノズル等が破損する虞れがあった。また、籠本体の外部側にぶら下がり全体の形状が大きくなった。これに対し、本発明の把手部材６は、コンパクトに納まると共に、外れて飛ぶ危険がなく安全である。
【００１９】
また、図１〜図３、図７，図８に示したように、本発明の籠は、籠本体１内に食器支持部材３の下方と前方の間を揺動自在に保持される残飯受け部材８を具備する。残飯受け部材８は、ステンレス板材を左右横長浅皿状に形成したものである。そして、受け部材８は、左右両側に揺動アーム18，18の下端が固着され、アーム18，18の上端が、籠本体１の中間横枠材11Ｂの左右の線材部に枢着されている。また、受け部材８は、前縁の中央に引っ張り用鎖部材17の一端（下端）が接続されている。鎖部材17の他端（上端）は、上述の籠本体１に付設された小リング部19に通されている。残飯受け部材８は、フリー状態では自重により、食器支持部材３の下方に存在して（図３の実線の状態）、食器類７…に付着した残飯を受ける。そして、洗浄工程に移される場合等に、鎖部材17を引っ張り上げて残飯受け部材８が食器支持部材３の前方へ揺動して傾斜状となり（図３の二点鎖線の状態）、残飯を洗い落とし易くなる。
【００２０】
また、図８，図９において、籠本体１には、プラスチック等の耐熱性を有する樹脂製のネームプレート体５が着脱自在に取り付けられる。ネームプレート体５は、平板状に形成されると共に、一対の縦辺部が平面視小半円弧状に形成され籠本体１の縦線材12，12を着脱自在として両側から挟む把持部37，37を有する。また、ネームプレート体５の上縁・下縁をアール状に形成することで、手の怪我を防止できる。また、ネームプレート体５は、学校名やクラス名等の情報を備えた認識（ＩＣ）チップ38が内蔵されるもよい。
従来の籠は、ネームプレートがアルミ板やステンレス板で形成されて、籠本体に線材にて巻付けて取付けられていたため、使用時や製造時にプレートの外縁部で手を怪我する危険があった。本発明の籠のネームプレート体５は、小学校の児童等が使用する場合であっても、手の怪我が防がれる。
【００２１】
また、籠本体１に着脱自在に取付けられる樹脂製のネームプレート体５を備えれば、運搬時等に手の怪我を防ぐことができる。また、ネームプレート体５は樹脂製なので、洗浄（消毒）用の湯に対しても耐久性を有し、長期間の使用に耐えることができる。
【００２２】
そして、図１〜図４のように、食事後の食器類７…が、食器支持部材３の食器支持線材31…に差込まれて、起立状態で重ね合わせて支持させている。各食器類７の上部は、上部仕切部材４の隣り合う上部仕切線材41，41間に嵌まって仕切状に保持される。
【００２３】
そして、ノズルで洗浄水（湯）を噴射して行う洗浄工程や消毒工程が完了したら、ロック部材９を解除して蓋体２を開け、食器類７を取り出す。そして再び、食事後の食器類７…を籠本体１内に収納して蓋体２を閉めることで、食器類７…が、食器支持部材３及び上部仕切部材４に当接して保持される。このように、食器類７…と、食器支持部材３・上部仕切部材４との摩耗が繰り返されることにより、食器支持部材３と上部仕切部材４のコーティングが剥がれ落ちたら、雄ネジ28…による螺着を外し、夫々、籠本体１、蓋体２から外して（図８，図10参照）、コーティングの修理を行う。そして、修理後の食器支持部材３を籠本体１に、雄ネジ28…，雌ネジ35…，45…によって螺着し、かつ、修理後の上部仕切部材４を蓋体２に、雄ネジ28…，雌ネジ35…，45…によって螺着する。
このように、コーティングの修理を、食器支持部材３・上部仕切部材４についてのみ行えば済むので、合理的である。
また、搬送時や洗浄時等に外部との摩耗の多い籠本体１・蓋体２はコーティングが省略されており、籠本体１・蓋体２を含んだ全体の修理を行う必要がない。
【００２４】
また、従来の籠は、一対の支持杆が、籠本体の底の離間した位置から、相互に反対側へ上傾状に立設されているものがあり（図示省略）、食器類を起立状態に差込むのに熟練を要したが、本発明の食器支持部材３によれば、支持線材31が長手方向Ｌ30から見て略Ｍ型に形成されているので、小学校の児童等であっても、食器類７を容易に起立状態に支持させることができる。
【００２５】
また、図12は、図11の螺着構造の別の実施例であり、食器支持部材３の横杆30は、端部32に左右側方へ突出状の雄ネジ部29を有する。そして、プレート15の小孔16に籠本体１内から通された雄ネジ部29に、外側からナット部材27で螺着する。
また、図13，図14は、さらに別の実施例であり、図13は、図12における小孔16付のプレート15に替えて、夫々、小孔16付ブロック体24を横枠材11に固着したものであり、図14は、横枠材11の一部（線材）をプレス加工して平板状に形成しかつ小孔16を貫孔したものである。
なお、蓋体２と上部仕切部材４の横杆40との螺着構造も、図12〜図14において説明した構造と同様である。
【００２６】
なお、図２は、蓋体２の施蓋状態で、上部仕切部材４が水平面Ｈ状に付設されているが、設計変更して、上部仕切部材４を、食器支持部材３と同じ角度θをもって傾斜状に蓋体２に付設するも自由であり、食器支持部材３と上部仕切部材４の上下方向の間隔が左右方向全範囲において均一となり、全ての食器類７…を安定した状態で収納できる。
また、食器支持部材３を籠本体１から分別してリサイクルし、かつ、上部仕切部材４を蓋体２から分別してリサイクルするので、部品別にリサイクルする処理の手間が少なくて済み、再利用が容易となり、環境問題にも貢献できる。
【００２７】
以上のように、本発明に係る食器洗浄用籠は、上方開口状の籠本体１と、籠本体１に開閉自在に設けられた蓋体２と、籠本体１内に付設され食器類７を起立状態で複数枚重ね合わせ状に支持する食器支持部材３と、蓋体２の内部に付設され施蓋時に食器類７を上方から一皿ずつ仕切り状に保持する上部仕切部材４と、を具備し、籠本体１と蓋体２のコーティング処理は省略され、かつ、食器支持部材３及び上部仕切部材４がコーティング処理され、さらに、食器支持部材３は籠本体１に着脱自在に取着され、かつ、上部仕切部材４は蓋体２に着脱自在に取着されるので、食器支持部材３・上部仕切部材４のコーティングが剥がれた場合には、籠本体１・蓋体２から外してコーティング修理することができる。
つまり、食器類７との摩耗によりコーティングが剥がれ易い食器支持部材３・上部仕切部材４についてのみ修理を行うことができるため、籠本体１・蓋体２等を含んだ全体については修理を行わなくて済む。よって、修理の手間が少なく、修理コストも大幅に低減できる。
また、搬送時や洗浄時等に外部との摩耗の多い籠本体１・蓋体２はコーティングが省略されているので、手間が一層低減される。
また、食器類７を、食器支持部材３と上部仕切部材４とで上下にて保持するので、搬送時や洗浄時に籠の上下左右の向きが変わっても、食器類７を脱落させずに収納することができ、破損を防ぐことができる。
【００２８】
また、食器支持部材３は、籠本体１内に着脱自在に取着される平行な一対の横杆30，30と、一対の横杆30，30に連結状として両端が固着され各食器類７が差込まれるように横杆30の長手方向Ｌ30に所定ピッチで配設された複数の食器支持線材31と、を有し、各食器支持線材31は、長手方向Ｌ30から見て略Ｍ型に形成されているので、食器類７を容易かつ確実に（熟練を要さずに）起立状態に支持させることができる。しかも、隣り合う食器類７，７の間隔を狭くして支持させることができ、コンパクトな大きさの籠でありながら、多くの食器類７…を収納できる。
【００２９】
また、食器支持部材３の一対の横杆30，30は、水平面Ｈから所定角度θをもって傾斜状に籠本体１に付設されるので、食器類７を起立状態から少し傾斜させて保持でき、安定した状態に収納することができる。
【００３０】
また、上部仕切部材４は、蓋体２に着脱自在に取着される平行な一対の横杆40，40と、一対の横杆40，40に連結状として両端が固着され各食器類７の上部が差込まれるように横杆40の長手方向Ｌ40に所定ピッチで配設された複数の仕切線材41…とを有するので、食器類７を、食器支持部材３に起立状に支持した状態で、安定して保持することができる。
【００３１】
また、食器支持部材３は、横杆30の両端部32，32と籠本体１との取着により着脱自在であり、かつ、上部仕切部材４は、横杆40の両端部42，42と蓋体２との取着により着脱自在であるので、簡易な構成でありながら、食器支持部材３・上部仕切部材４の着脱作業を容易にすることができ、修理作業の手間を少なくすることができる。
また、食器支持部材３を籠本体１から分別してリサイクルできる。また、上部仕切部材４を蓋体２から分別してリサイクルできるので、部品別にリサイクルする処理の手間が少なくて済み、再利用が容易となり、環境問題にも貢献できる。
【図面の簡単な説明】
【００３２】
【図１】本発明に係る食器洗浄用籠の実施の一形態を示す斜視図である。
【図２】正面図である。
【図３】側面図である。
【図４】説明用要部斜視図である。
【図５】食器支持部材を示す正面図である。
【図６】拡大側面図である。
【図７】残飯受け部材を示す斜視図である。
【図８】籠本体と食器支持部材を示す説明用要部斜視図である。
【図９】図８のイ−イ断面図である。
【図１０】蓋体と上部仕切部材を示す説明用要部斜視図である。
【図１１】要部拡大斜視図である。
【図１２】他の実施例を示す要部拡大斜視図である。
【図１３】別の実施例を示す要部拡大斜視図である。
【図１４】さらに別の実施例を示す要部拡大斜視図である。
【符号の説明】
【００３３】
１  籠本体
２  蓋体
３  食器支持部材
４  上部仕切部材
７  食器類
９  ロック部材
30  横杆
31  食器支持線材
32  端部
40  横杆
41  上部仕切線材
42  端部
θ  所定角度
Ｈ  水平面
Ｌ30  長手方向
Ｌ40  長手方向